(57)【特許請求の範囲】
【請求項１】
ルアーボディ内の前方に設けた室と、
上記ルアーボディに形成されて上記室に連通する取水口と、
上記室と上記取水口とを連通するダクト部とを備え、
上記ルアーボディには、上記ダクト部に別のダクト部を介して連通する排水口が形成されていることを特徴とする釣り用ルアー。
【請求項２】
上記ルアーボディの前部にカップ状の口部が形成され、上記取水口が上記口部内に形成されていることを特徴とする請求項１に記載の釣り用ルアー。
【請求項３】
上記ルアーボディに形成されて上記室に連通する他の排水口を備えたことを特徴とする請求項１又は２に記載の釣り用ルアー。
【請求項４】
上記他の排水口は上記ルアーボディの底面側に形成されていることを特徴とする請求項３に記載の釣り用ルアー。
【請求項５】
上記排水口は上記ルアーボディの上記口部外周に形成されていることを特徴とする請求項２に記載の釣り用ルアー。
【請求項６】
上記ルアーボディの後部におもりを内蔵したことを特徴とする請求項１〜５のいずれか１項に記載の釣り用ルアー。
【請求項７】
上記ルアーボディの上記おもりより前方に上記ルアーボディの左右方向に移動自在とした別のおもりを内蔵したことを特徴とする請求項６に記載の釣り用ルアー。
【発明の詳細な説明】
【０００１】
【発明の属する技術分野】
本発明は、釣り用ルアーに関するもので、特にポッパーと称されるものに用いて好適である。
【０００２】
【従来の技術】
トップウォータと称される釣り用ルアーの１種であるポッパーは、使用に際して水面表層部（トップウォータ）付近で派手なルアーアクションを行わせるものであり、前面が水の抵抗を受けるように、えぐられていたり、削られていたりする。この種の釣り用ルアーでは、ルアーアクションにより釣果を上げようとしているが、効果的なルアーアクションを行うためにはロッド操作に一定のテクニックを要する。
【０００３】
【発明が解決しようとする課題】
しかしながら、従来の釣り用ルアーでは、遊泳中にルアーボディが受ける水流抵抗等との関係から、ロッド操作を行っても必ずしも効果的なルアーアクションが得られないことがあった。特に、釣果の高い繊細で、かつ、トリッキーなルアーアクションを行わせるのが難しいというのが実情であった。
【０００４】
本発明は上記のような点に鑑みてなされたものであり、効果的なルアーアクションが容易に実現しうる釣り用ルアーを提供することを目的とする。
【０００５】
【課題を解決するための手段】
本発明の釣り用ルアーは、ルアーボディ内の前方に設けた室と、上記ルアーボディに形成されて上記室に連通する取水口と、上記室と上記取水口とを連通するダクト部とを備え、上記ルアーボディには、上記ダクト部に別のダクト部を介して連通する排水口が形成されている点に特徴を有する。
また、本発明の釣り用ルアーの他の特徴とするところは、上記ルアーボディの前部にカップ状の口部が形成され、上記取水口が上記口部内に形成されている点にある。
また、本発明の記載の釣り用ルアーの他の特徴とするところは、上記ルアーボディに形成されて上記室に連通する他の排水口を備えた点にある。
また、本発明の釣り用ルアーの他の特徴とするところは、上記他の排水口は上記ルアーボディの底面側に形成されている点にある。
また、本発明の釣り用ルアーの他の特徴とするところは、上記排水口は上記ルアーボディの上記口部外周に形成されている点にある。
【００１２】
また、本発明の釣り用ルアーの他の特徴とするところは、上記ルアーボディの後部におもりを内蔵した点にある。
【００１３】
また、本発明の釣り用ルアーの他の特徴とするところは、上記ルアーボディの上記おもりより前方に上記ルアーボディの左右方向に移動自在とした別のおもりを内蔵した点にある。
【００１４】
【発明の実施の形態】
以下、図面を参照して、本発明の釣り用ルアーの好適な実施の形態について説明する。
【００１５】
図１には、本実施の形態の釣り用ルアーの側面図を示す。また、図２には、本実施の形態の釣り用ルアーの正面図を示す。この例の釣り用ルアーは、ポッパーと称されるもので、上述したように、その使用に際して水面表層部（トップウォータ）付近で派手なルアーアクションを行わせるものである。
【００１６】
釣り用ルアーのルアーボディ１は、合成樹脂等の材料を用いて魚に似せた外観形状とされ、目玉２やえら３が立体的に再現されている。ルアーボディ１の前部には釣り糸をつなぐためのアイ４が、また、ルアーボディ１の下腹部及び尾部にはフックを連結するためのアイ５、６がそれぞれ配置されている。
【００１７】
ルアーボディ１の前部には口部７がカップ状に形成されており、あたかも魚が大きく口を開いているかのような外観とされている。図３に示すように、カップ状の口部７は、上側において深く、下側において浅く形成されている。そして、口部７内の上側では滑らかな湾曲面７ａとされているのに対して、下側では角度を持った水流ストッパ面７ｂが形成されている。
【００１８】
ルアーボディ１は、左右２つのハーフボディ１Ｒ、１Ｌを接合する構成とされ、概略中空構造を有する。図４には、ハーフボディ１Ｒの接合面側から見た斜視図を示す。ハーフボディ１Ｒの内側で前方上部、最後部、下腹部にはそれぞれ嵌合孔８が形成されている。また、図示しないハーフボディ１Ｌの同じ位置には嵌合突起が形成されている。そして、嵌合突起を嵌合孔８にそれぞれ嵌合させて位置合わせするとともに、適宜の接着剤を塗布する等して、ハーフボディ１Ｒ、１Ｌの接合面同士を接合する。
【００１９】
ここで、図１に示すように、ルアーボディ１内の前方には、室９が設けられている。図４に示すように、ハーフボディ１Ｒの内側前方には、口部７より後方で、壁１０で囲まれて接合面側で開口する室９Ｒが一体形成されている。また、図示しないハーフボディ１Ｌ内の同じ位置にも、同様の室が一体形成されている。そして、ハーフボディ１Ｒ、１Ｌを接合したとき、壁１０の端部同士が接合するとともに開口が互いに連通して、上記室９が構成されることになる。
【００２０】
また、図２に示すように、口部７内の両側端部付近に、細長い形状の一対の取水口１１が形成されている。そして、これら取水口１１を上記室９に連通させるのであるが、上述のように上記室９が口部７より後方に配置されているので、ルアーボディ１には取水口１１と室９とを連通するダクト部１２が形成されるようにしている。
【００２１】
また、ルアーボディ１にはえら３が立体的に形成されているが、図５に示すように、各えら３の裏側には上記室９に連通する第１の排水口１３が形成されている。ここでは、ルアーボディ１の底面側からえら３の裏側を掘り下げるようにして、その掘り下げて深くした部分の底において室９を開口させて第１の排水口１３が形成されている。
【００２２】
さらに、ルアーボディ１の口部７外周の両側で、えら３よりも前方には、第２の排水口１４が形成されている。そして、これら第２の排水口１４を、ルアーボディ１に形成したダクト部１５を介して上記ダクト部１２に連通させる。
【００２３】
図６には、上記のようにした室９、取水口１１、ダクト部１２、１５、第１、２の排水口１３、１４の関係を概略的に示す。
【００２４】
図１に説明を戻して、ルアーボディ１内の後部（尾部）には、おもり１６が内蔵されている。図４に示すように、ハーフボディ１Ｒの内側後方には、上下から突出させたストッパ１７が一体に形成されている。また、図示しないハーフボディ１Ｌ内の同じ位置にも、同様のストッパが一体形成されている。そして、ハーフボディ１Ｒ、１Ｌを接合したとき、これらストッパ７により区画される空間に球状のおもり１６が収納されるようにしている。
【００２５】
また、ルアーボディ１内には、上記おもり１６よりも前方に、ルアーボディ１の左右方向に移動自在とした別のおもり１８が内蔵されている。このおもり１８は、尾部側のおもり１６に比べて軽量とされている。図４に示すように、ハーフボディ１Ｒの内側中央より後方に、壁１９で囲まれて接合面側で開口する室２０Ｒが一体形成されている。また、図示しないハーフボディ１Ｌ内の同じ位置にも、同様の室が一体形成されている。そして、ハーフボディ１Ｒ、１Ｌを接合したとき、壁１９の端部同士が接合するとともに開口が互いに連通して、ルアーボディ１内に左右に長い室２０が構成される。この室２０に球状のおもり１８が収納され、室２０に沿ってルアーボディ１の左右方向に移動自在とされる。
【００２６】
上記のようにした本実施の形態の釣り用ルアーによれば、ルアーボディ１の後部におもり１６が内蔵されており、重心が後方に位置するので、キャスト時には後部からまっすぐに飛んでいき、遠投性に優れ、着水点を狙いやすい。例えば、ルアーボディ１の前部及び後部の両方におもりが内蔵されていると、キャスト時に釣り用ルアーが横向きになったり、回転したりして、失速しやすく、コントロールしにくくなってしまう。
【００２７】
着水した釣り用ルアーは、おもり１６が内蔵されている後部が水中に沈んで、前部が水面から出て浮かんでいる状態となる。
【００２８】
そして、釣り用ルアーを引いて遊泳させると、カップ状の口部７で水流を受けて、魚をひきつけるいやゆるポップサウンドを発する。また、口部７に沿って、深くなっている上部から浅くなっている下部に向かって水流を押し返し、水飛沫を生じさせる。特に、口部７の下部に形成された水流ストッパ面７ｂが水がぶつかって、水飛沫を効果的に生じさせるとともに、気泡や水中音を発生させることができる。
【００２９】
上記のように口部７で水流を受けたとき、その水流の一部は、取水口１１からダクト部１２、１５を流れて口部７外周の第２の排水口１４から排出される。このように過剰水流を後方へ逃すことにより、ナチュラルなポップサウンドを発生させるとともに、気泡や水中音を発生させて高い集魚効果を得ることができる。また、口部７の両側から口部７外周の両側にかけて一対の取水口１１、ダクト部１２、１５、第２の排水口１４を設けることにより、左右バランスよく取水・排水することができ、整流効果が得られる。
【００３０】
また、口部７で受けた水流の一部は、取水口１１からダクト部１２を流れてルアーボディ１内の室９に導かれる。このように室９に水が溜まると、ルアーボディ１の前部が重くなるので、前部が水中に沈むような動きが生じる。すなわち、釣り用ルアーが着水した時点では、おもり１６が内蔵されている後部が水中に沈んで、前部が水面から出て浮かんでいる状態となっているが、遊泳させることにより前部も水中に沈むことになり、水のつかみが増大し、水を大きく攪拌したダイナミックなルアーアクションが得られる。特に、ロッド操作によっては室９への水の入り具合が変化し、動きを小さくしたり、大きくしたりすることも可能である。なお、室９に導かれる過剰水や釣り用ルアーの前部を水面から浮かせたときに室９内に溜まっている水は、えら裏側の第１の排水口１３から排水される。
【００３１】
また、遊泳中にルアーボディ内でおもり１８が左右方向に移動することにより、尾部側のおもり１６を支点として、釣り用ルアーが揺れるような左右方向の動きのあるルアーアクションが得られる。
【００３２】
なお、ダクト部１２、１５の長さは適宜設定すればよい。例えば、これらダクト部１２、１５を短くすれば、ロッド操作に敏感に反応するルアーアクションが実現され、例えばヒラ打ち等の変則的かつトリッキーな動きを意図的にさせることができる。
【００３３】
【発明の効果】
以上説明したように本発明によれば、釣り用ルアーを引いて遊泳させると、水流の一部が取水口からルアーボディ内の室に導かれ、ルアーボディの前部が重くなるので、前部が水中に沈むような動きが生じる。この場合に、排水口から過剰水流を逃すことにより、ナチュラルなポップサウンドを発生させるとともに、気泡や水中音を発生させて高い集魚効果を得ることができる。このようにルアー遊泳中に適宜ロッド操作を行うことにより、釣果の高い効果的なルアーアクションを容易に実現することができ、従来では困難であった繊細で、かつ、トリッキーなルアーアクションが容易に得られる。
【図面の簡単な説明】
【図１】本実施の形態の釣り用ルアーの側面図である。
【図２】本実施の形態の釣り用ルアーの正面図である。
【図３】口部７の断面形状を説明するための図である。
【図４】ハーフボディ１Ｒの接合面側から見た斜視図である。
【図５】本実施の形態の釣り用ルアーの底面図である。
【図６】室９、取水口１１、ダクト部１２、１５、第１、２の排水口１３、１４の関係を概略的に示す図である。
【符号の説明】
１          ルアーボディ
１Ｒ、１Ｌ  ハーフボディ
７          口部
９          室
１１        取水口
１２        ダクト部
１３        第１の排水口
１４        第２の排水口
１５        ダクト部
１６        おもり
１８        おもり
【図１】
0003809360.tif 000002
【図２】
0003809360.tif 000003
【図３】
0003809360.tif 000004
【図４】
0003809360.tif 000005
【図５】
0003809360.tif 000006
【図６】
0003809360.tif 000007